(57)【要約】【課題】撮像ユニットとメイン回路基板とのコネクタによる接続作業時に、撮像ユニットが適正位置からズレることを抑制することができ、接続作業を容易にすることが可能となる撮像装置を提供する。【解決手段】撮像素子パッケージと前記撮像素子パッケージおよび第１のコネクタが実装される第１の回路基板と、前記撮像素子パッケージを保持する撮像素子保持部材とがユニット化される撮像ユニットと、  前記撮像ユニットを光軸方向に付勢して保持する撮像ユニット保持部材と、  第２のコネクタが実装され、カメラ本体に固定される第２の回路基板と、前記第１のコネクタおよび前記第２のコネクタと接続されることで、前記第１の回路基板と前記第２の回路基板とを接続する導通部材とを備え、  前記光軸方向と直交する方向に前記導通部材を前記第１のコネクタに挿入することで、前記導通部材と前記第１のコネクタとを接続する。【選択図】            図３
2011059272.tif 000002
【特許請求の範囲】
【請求項１】
撮像素子パッケージと前記撮像素子パッケージおよび第１のコネクタが実装される第１の回路基板と、前記撮像素子パッケージを保持する撮像素子保持部材とがユニット化される撮像ユニットと、
前記撮像ユニットを光軸方向に付勢して保持する撮像ユニット保持部材と、
第２のコネクタが実装され、カメラ本体に固定される第２の回路基板と、
前記第１のコネクタおよび前記第２のコネクタと接続されることで、前記第１の回路基板と前記第２の回路基板とを接続する導通部材とを備え、
前記光軸方向と直交する方向に前記導通部材を前記第１のコネクタに挿入することで、前記導通部材と前記第１のコネクタとを接続することを特徴とする撮像装置。
【請求項２】
前記導通部材は、フレキシブルプリント基板またはリード線であることを特徴とする請求項１に記載の撮像装置。
【請求項３】
前記第１の回路基板は略矩形であり、前記第１の回路基板に配置されたコネクタは前記第１の回路基板の略矩形における４辺の内の１辺近傍に配置されていることを特徴とする請求項１または請求項２に記載の撮像装置。
【請求項４】
前記導通部材の第１のコネクタを、前記第１の回路基板に配置されたコネクタと電気的に接続するため挿入する力の方向は、
前記カメラ光軸中心から外に位置する前記第１の回路基板に配置されたコネクタに向かう方向であることを特徴とする請求項３に記載の撮像装置。
【請求項５】
前記第２の回路基板は、第１のコネクタに対してカメラ光軸を挟んで反対側に、前記導通部材に配置された第２のコネクタと電気的に接続するコネクタを有していることを特徴とする請求項３または請求項４に記載の撮像装置。
【発明の詳細な説明】
【技術分野】
【０００１】
本発明は、撮像装置に関し、特にデジタルカメラにおける回路基板の接続構造に関する。
【背景技術】
【０００２】
被写体像を電気信号に変換して撮像するデジタルカメラ等の撮像装置では、撮影光束を撮像素子で受光し、その撮像素子から出力される光電変換信号を画像データに変換して、メモリカード等の記録媒体に記録する。
撮像素子としては、ＣＣＤ（Ｃｈａｒｇｅ  Ｃｏｕｐｌｅｄ  Ｄｅｖｉｃｅ）やＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。ここで、撮像素子をカメラの支持体に取り付ける際、撮像素子受光面の位置や傾きなどを調整し、適正な状態にしておかないと、撮影して得られた画像はボケ画像となってしまう。この調整手法は様々で、例えば特許文献１に記載されているように、撮像素子を含むユニットとカメラ支持体との間に、スペーサーを挿入したり、圧縮バネを挟み込んだり、回転調整可能な筒状の調整部材を入れたりして、撮像素子受光面の位置調整を行っている。
【０００３】
ここで、このような撮像素子受光面の位置調整について図５を用いて説明する。
図５（ａ）は、従来のデジタル一眼レフカメラの撮像ユニットの保持構成について説明する撮像ユニットの分解斜視図である。
６００はミラーボックスであり、このミラーボックス６００には前側（被写体側）に不図示の着脱可能なレンズが装着される一方、後側（撮影者側）には撮像ユニット６１０が組みつけられる。
撮像ユニット６１０は、撮像素子保持部材６２０、撮像素子パッケージ６３０、撮像素子用回路基板６４０、および撮像素子パッケージの前側に配置された不図示の光学ローパスフィルタから構成されている。
撮像素子保持部材６２０は板状の部材であり、矩形の開口部を有し、その開口部に撮像素子パッケージ６３０を露出させるように撮像素子パッケージ６３０が固着する。
この撮像素子パッケージ６３０は、内部に撮像素子が封止されている。
また、撮像素子パッケージ６３０には電気的に接続するための複数のリードからなる接続端子群６３１が上下の辺にそれぞれ設けられている。
そして、撮像素子用回路基板６４０は、この接続端子群６３１に半田付け接続され、固定されている。
この構成は、撮像素子用回路基板６４０に撮像素子パッケージ６３０が直接実装されているので、撮像素子の出力端子と次段の回路入力端子が最短距離で接続することができるため、外来ノイズに対して影響を受け難く、また実装効率も高い。
【０００４】
以上の構成の撮像ユニット６１０は、位置調整が行われ、ミラーボックス６００に３ヶ所にてビス固定される。
一般的に、撮像素子の位置調整は、撮影光軸に対して撮像素子受光面のＸ軸方向、Ｙ軸方向、Ｚ軸方向（カメラ光軸方向）、およびＸ軸の倒れ、Ｙ軸の倒れ、撮像素子受光面の回転と、６軸方向において調整をする必要がある。
このような構成においては、ミラーボックス６００に２ヶ所設けられた位置決め用ピン６０１と撮像素子保持部材６２０に２ヶ所設けられた位置決め用穴６２１とが高い精度で嵌合することで、Ｘ軸方向、Ｙ軸方向、および受光面の回転においては調整レスとなっている。
また、ミラーボックス６００と撮像ユニット６１０との間の３ヶ所のビス締め部に調整用圧縮バネ６５０を配置することで、ビス締め時、Ｚ方向のバネ反力により常に撮像ユニット６１０はビス側に付勢されている。
よって、３ヶ所のミラーボックス６００に対するビスかかり量（ビス締め回転数）を各々制御することで、Ｚ軸方向（カメラ光軸方向）、Ｘ軸の倒れ、Ｙ軸の倒れの位置調整を行うことが出来る。
【０００５】
６６０は、カメラ全体の動作制御を司るマイクロコンピュータからなる中央処理装置（ＭＰＵ）が実装されたメイン回路基板であり、不図示のカメラ本体に固定されている。
６７０は接続用フレキシブルプリント基板であり、両端に接続用コネクタ６７１および６７２が配置されている。
撮像素子用回路基板６４０上には基板端部に接続用コネクタ６４１が配置されている。一方、メイン回路基板６６０上には、基板端部で、かつ撮像素子用回路基板６４０上の接続用コネクタ６４１に最も近い位置に接続用コネクタ６６１が配置されている。基板端部にコネクタを配置する理由は、基板上の実装レイアウトの自由度を高めるためである。
そして、撮像ユニット６１０が位置調整された後、接続用コネクタ６７１を接続用コネクタ６４１に、接続用コネクタ６７２を接続用コネクタ６６１に、各々カメラ光軸に対して平行方向に押しながら挿入する（図５（ａ）中の太線矢印を参照）。そして、撮像素子用回路基板６４０とメイン回路基板６６０とを接続用フレキシブルプリント基板６７０を介して電気的に接続している。
【０００６】
図５（ｂ）は、接続用コネクタ６４１と接続用コネクタ６７１との接続の様子を模式的に表した図である。
図５［ｂ−１］は接続前の様子、図５［ｂ−２］は接続後の様子である。
前述したように、カメラ光軸（Ｚ軸）に対して平行方向に押しながらコネクタを挿入接続している。
なお、接続用フレキシブルプリント基板６７０は、撮像ユニット６１０のＺ方向の調整移動量を考慮し、多少の撓みをもたせてある。
【先行技術文献】
【特許文献】
【０００７】
【特許文献１】特開２００３−０６９８８６号公報
【発明の概要】
【発明が解決しようとする課題】
【０００８】
上記従来例では、撮像ユニット６１０を位置調整した後、撮像素子用回路基板６４０とメイン回路基板６６０とをフレキシブルプリント基板６７０を介してコネクタ接続する。
そのため、調整後の撮像ユニット６１０がカメラ光軸方向前側に押され、移動してしまうこととなる。
通常、撮像ユニット６１０が移動したとしても、撮像素子受光面がカメラ光軸方向と直交方向を維持しながらの移動であれば、調整用圧縮バネ６５０の付勢力により撮像ユニット６１０は移動前の適正位置（調整後の正規位置）に戻る。
しかしながら、上記従来例では、接続用コネクタ６４１が撮像素子用回路基板６４０の右端部に配置されており、カメラ光軸上に配置されていない。
そのため、コネクタを接続する際、撮像ユニット６１０をＹ軸まわりのモーメントを加えつつ、カメラ光軸方向前側に移動させてしまうこととなる。
言い換えるならば、撮像ユニット６１０を傾けながら移動させてしまうこととなる。
【０００９】
このように撮像ユニット６１０を傾けながら移動させた場合、つぎのようなことが懸念される。
１つはミラーボックス６００に設けられた位置決め用ピン６０１と撮像素子保持部材６２０に設けられた位置決め用穴６２１とが高い精度で嵌合しているため、撮像ユニット６１０が傾くと位置決め用穴６２１が位置決め用ピン６０１に食いついてしまうことである。
その結果、撮像ユニット６１０が適正位置（調整後の正規位置）に戻りきらず、ズレてしまうという懸念があった。
もう１つは、撮像ユニット６１０が傾くと、位置決め用穴６２１が位置決め用ピン６０１を削ったり、変形させたりしてしまうことである。
その結果、位置決め用穴６２１と位置決め用ピン６０１との嵌合によって規制されていたＸ軸方向、Ｙ軸方向、および受光面の回転において正規位置に対してズレが生じてしまうという懸念があった。
そのため、作業者は撮像ユニット６１０を傾けながら移動させることのないように、注意することが必要となる。
【００１０】
本発明は、上記課題に鑑み、撮像ユニットとメイン回路基板とのコネクタによる接続作業時に、撮像ユニットが適正位置からズレることを抑制することができ、接続作業を容易にすることが可能となる撮像装置の提供を目的とする。
【課題を解決するための手段】
【００１１】
本発明は、つぎのように構成した撮像装置を提供するものである。
本発明の撮像装置は、撮像素子パッケージと前記撮像素子パッケージおよび第１のコネクタが実装される第１の回路基板と、
前記撮像素子パッケージを保持する撮像素子保持部材とがユニット化される撮像ユニットと、
前記撮像ユニットを光軸方向に付勢して保持する撮像ユニット保持部材と、
第２のコネクタが実装され、カメラ本体に固定される第２の回路基板と、前記第１のコネクタおよび前記第２のコネクタと接続されることで、前記第１の回路基板と前記第２の回路基板とを接続する導通部材とを備え、
前記光軸方向と直交する方向に前記導通部材を前記第１のコネクタに挿入することで、前記導通部材と前記第１のコネクタとを接続することを特徴とする。
【発明の効果】
【００１２】
本発明によれば、撮像ユニットとメイン回路基板とのコネクタによる接続作業時に、撮像ユニットが適正位置からズレることを抑制することができ、接続作業を容易にすることが可能となる撮像装置を実現することができる。
【図面の簡単な説明】
【００１３】
【図１】本発明の実施の形態に係るデジタル一眼レフカメラの電気的構成を示すブロック図である。
【図２】本実施の形態に係る撮像ユニットの組立状態を示す図である。
【図３】本実施の形態に係る撮像ユニットの構成を示す分解斜視図である。
【図４】本実施の形態に係るコネクタの接続の様子を模式的に表した図である。
【図５】従来例における撮像ユニットの構成を説明する図であり、図５（ａ）は撮像ユニットの構成を示す分解斜視図、図５（ｂ）はコネクタの接続の様子を模式的に表した図である。
【発明を実施するための形態】
【００１４】
本発明を適用した実施の形態におけるデジタル一眼レフカメラについて、
１．カメラの電気的構成
２．撮像ユニットの保持構成
のそれぞれの各構成を、以下に説明する。
【００１５】
１．カメラの電気的構成（図１）
まず、図１によりデジタル一眼レフカメラの電気的構成について説明する。
図１において、中央処理装置（ＭＰＵ）１００は、カメラの動作制御を司るものであり、各要素に対して様々な処理や指示を実行する。
ＭＰＵ１００には、ミラー駆動回路１０１、焦点検出回路１０２、シャッタ駆動回路１０３、映像信号処理回路１０４、スイッチセンサ回路１０５、測光回路１０６が接続されている。
また、ＬＣＤ駆動回路１０７、バッテリチェック回路１０８、電力供給回路１１０が接続されている。これらの回路は、ＭＰＵ１００の制御により動作するものである。
ＭＰＵ１００は、撮影レンズユニット２００ａ内のレンズ制御回路２０１とマウント接点２１を介して通信を行う。
マウント接点２１は、撮影レンズユニット２００ａが接続されるとＭＰＵ１００へ信号を送信する機能も有する。
これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。
なお、図１では便宜上１枚の撮影レンズ２００のみを図示しているが、実際は多数のレンズ群によって構成される。
【００１６】
ＡＦ駆動回路２０２は、例えばステッピングモータによって構成され、レンズ制御回路２０１の制御により撮影レンズ２００内のフォーカスレンズ位置を変化させ、撮像素子に撮影光束の焦点を合わせるように調整する。
絞り駆動回路２０３は、例えばオートアイリス等によって構成され、レンズ制御回路２０１の制御により絞り２０４を変化させ、光学的な絞り値を得る。
メインミラー６は、図１に示す撮影光軸に対して４５°の角度に保持された状態で、撮影レンズ２００を通過する撮影光束をペンタダハミラー２２へ導くと共に、その一部を透過させてサブミラー３０へ導く。
サブミラー３０は、メインミラー６を透過した撮影光束を焦点検出センサユニット３１へ導く。
ミラー駆動回路１０１は、例えばＤＣモータとギヤトレイン等によって構成され、メインミラー６を、ファインダにより被写体像を観察可能とする位置と、撮影光束から待避する位置とに駆動する。
メインミラー６が駆動すると、同時にサブミラー３０も、焦点検出センサユニット３１へ撮影光束を導く位置と、撮影光束から待避する位置とに移動する。
【００１７】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。
焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。
そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
ペンタダハミラー２２は、メインミラー６により反射された撮影光束を正立正像に変換反射する。
撮影者はファインダ光学系を介してファインダ接眼窓１８から被写体像を観察することができる。
ペンタダハミラー２２は、撮影光束の一部を測光センサ３７へも導く。測光回路１０６は、測光センサ３７の出力を得て、観察面上の各エリアの輝度信号に変換し、ＭＰＵ１００に出力する。ＭＰＵ１００は、輝度信号に基づいて露出値を算出する。
【００１８】
シャッタユニット（機械フォーカルプレーンシャッタ）３２は、撮影者がファインダにより被写体像を観察している時には、シャッタ先幕が遮光位置にあると共に、シャッタ後幕が露光位置にある。
次いで、撮影時には、シャッタ先幕が遮光位置から露光位置へ移動する露光走行を行って被写体からの光を通過させ、撮像素子で撮像を行う。
所望のシャッタ秒時の経過後、シャッタ後幕が露光位置から遮光位置へ移動する遮光走行を行って撮影を完了する。
機械フォーカルプレーンシャッタ３２は、ＭＰＵ１００の指令を受けたシャッタ駆動回路１０３により制御される。
【００１９】
撮像ユニット４００は、光学ローパスフィルタ４１０、撮像素子を収納する撮像素子パッケージ３３が後述する他の部品と共に一体となってユニット化されたものである。
撮像素子パッケージ３３は、被写体の光学像を電気信号に変換するものであり、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。
撮像素子パッケージ３３の前方に配置された光学ローパスフィルタ４１０は、水晶からなる複屈折板であり、画像信号にニセ色、モアレ縞等の擬似信号が発生するのを防ぐ働きをしている。
クランプ／ＣＤＳ（相関二重サンプリング）回路３４は、Ａ／Ｄ変換する前の基本的なアナログ処理を行うものであり、クランプレベルを変更することも可能である。
ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子パッケージ３３のアナログ出力信号をデジタル信号に変換する。
【００２０】
映像信号処理回路１０４は、デジタル化された画像データに対してガンマ／ニー処理、フィルタ処理、モニタ表示用の情報合成処理等、ハードウエアによる画像処理全般を実行する。
この映像信号処理回路１０４からのモニタ表示用の画像データは、カラー液晶駆動回路１１３を介してカラー液晶モニタ１９に表示される。
また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。
連写撮影等、連続して撮影が行われる場合は、一旦バッファメモリ３７に画像データを格納し、メモリコントローラ３８を通して未処理の画像データを順次読み出すこともできる。
これにより、映像信号処理回路１０４は、Ａ／Ｄ変換器３６から入力されてくる画像データの速度に関わらず、画像処理や圧縮処理を順次行うことができる。
【００２１】
メモリコントローラ３８は、外部インタフェース４０から入力される画像データをメモリ３９に記憶し、メモリ３９に記憶されている画像データを外部インタフェース４０から出力する機能を有する。
なお、外部インタフェース４０は、ビデオ信号出力用ジャックやＵＳＢ出力用コネクタが相当する。メモリ３９としては、カメラ本体に着脱可能なフラッシュメモリ等が用いられる。
スイッチセンサ回路１０５は、各スイッチの操作状態に応じて入力信号をＭＰＵ１００に送信する。
スイッチＳＷ１（７ａ）は、レリーズボタンの第１ストローク（半押し）によりＯＮする。スイッチＳＷ２（７ｂ）は、レリーズボタンの第２ストローク（全押し）によりＯＮする。
スイッチＳＷ２（７ｂ）がＯＮされると、撮影開始の指示がＭＰＵ１００に送信される。
また、スイッチセンサ回路１０５には、メイン操作ダイヤル８、サブ操作ダイヤル２０、撮影モード設定ダイヤル１４、メインスイッチ４３が接続されている。ＬＣＤ駆動回路１０７は、ＭＰＵ１００の指示に従って、ＬＣＤ表示パネル９やファインダ内液晶表示装置４１を駆動する。
バッテリチェック回路１０８は、ＭＰＵ１００の指示に従って、バッテリチェックを行い、その検出結果をＭＰＵ１００に送信する。電源４２は、カメラの各要素に対して電源を供給する。
【００２２】
２．撮像ユニットの保持構成（図２〜図４）
つぎに、本実施の形態における撮像ユニットの保持構成について説明する。
図２は撮像ユニットの組立状態を表しており、図３は撮像ユニットの分解斜視図である。
５００はメインミラー６等を保持するミラーボックス（撮像ユニット保持部材）である。
このミラーボックス５００には前側（被写体側）に不図示の着脱可能な撮影レンズユニット２００ａが装着される一方、後側（撮影者側）には撮像ユニット４００が弾性部材を介して組みつけられる。
撮像ユニット４００は、撮像素子保持部材５２０、撮像素子パッケージ３３、撮像素子用回路基板（第１の回路基板）５４０、および撮像素子パッケージの前側に配置された不図示の光学ローパスフィルを備えている。
また、不図示の光学ローパスフィルタの保持部材を備えている。
撮像素子保持部材５２０は板状の部材であり、矩形の開口部を有し、その開口部に撮像素子パッケージ３３を露出させるように撮像素子パッケージ３３が固着する。この撮像素子パッケージ３３は、内部に撮像素子が封止されている。
また、撮像素子パッケージ３３には電気的に接続するための複数のリードからなる接続端子群５３１が上下の辺にそれぞれ設けられている。
そして、撮像素子用回路基板５４０は、この接続端子群５３１に半田付け接続され、固定されている。
この構成は、撮像素子用回路基板５４０に撮像素子パッケージ３３が直接実装されているので、撮像素子の出力端子と次段の回路入力端子が最短距離で接続可能とされていることから、外来ノイズに対して影響を受け難く、また実装効率も高い。また、この撮像素子用回路基板５４０は、クランプ／ＣＤＳ回路３４、ＡＧＣ３５、Ａ／Ｄ変換器３６などの撮像素子周辺の回路が実装されており、形状は略矩形であり、ガラスエポキシ材を基材とした多層ハード基板で構成されている。
【００２３】
以上の構成の撮像ユニット４００は、位置調整が行われ、ミラーボックス５００に３ヶ所にてビス固定される。
一般的に、撮像素子の位置調整は、撮影光軸に対して撮像素子受光面のＸ軸方向、Ｙ軸方向、Ｚ軸方向（カメラ光軸方向）、およびＸ軸の倒れ、Ｙ軸の倒れ、撮像素子受光面の回転と、６軸方向において調整をする必要がある。
この構成においては、ミラーボックス５００に２ヶ所設けられた位置決め用ピン５０１と撮像素子保持部材５２０に２ヶ所設けられた位置決め用穴５２１とが高い精度で嵌合することで、Ｘ軸方向、Ｙ軸方向、および受光面の回転においては調整レスとなっている。
また、ミラーボックス５００と撮像ユニット４００との間の３ヶ所のビス締め部に調整用圧縮バネ（弾性部材）５５０を配置することで、ビス締め時、Ｚ方向のバネ反力により常に撮像ユニット４００はビス側に付勢されている。
よって、３ヶ所のミラーボックス５００に対するビスかかり量（ビス締め回転数）を各々制御することで、Ｚ軸方向（カメラ光軸方向）、Ｘ軸の倒れ、Ｙ軸の倒れの位置調整を行うことが出来る。
【００２４】
５６０は、ＭＰＵ１００が実装されたメイン回路基板（第２の回路基板）であり、ガラスエポキシ材を基材とした多層ハード基板で構成され、不図示のカメラ本体に固定保持されている。
また、メイン回路基板５６０と撮像素子用回路基板５４０とは、互いに略平行、どちらもカメラ光軸に対して直交の関係にある。５７０は接続用フレキシブルプリント基板であり、両端に接続用コネクタ５７１および５７２が配置されている。
略矩形の撮像素子用回路基板５４０上には、回路基板の４辺の内の１辺近傍の基板端部に接続用コネクタ５４１が配置されている。
一方、メイン回路基板５６０上には、基板端部で、かつ撮像素子用回路基板５４０上の接続用コネクタ５４１に対してカメラ光軸を挟んで反対側に接続用コネクタ５６１が配置されている。
これは、接続用フレキシブルプリント基板５７０の長さを、撮像素子用回路基板５４０の１辺の長さ以上にする。つまり、ある程度の長さを確保するためである。それにより、撮像ユニット４００のＺ方向の調整移動量に対して十分な長さにでき、かつコネクタ接続作業を容易に行うことが出来る。
また、基板端部にコネクタを配置する理由は、基板上の実装レイアウトの自由度を高めるためである。
【００２５】
そして、撮像ユニット４００が位置調整された後、接続用コネクタ（導通部材の第１のコネクタ）５７１を接続用コネクタ５４１に、接続用コネクタ５７２（導通部材の第２のコネクタ）を接続用コネクタ５６１に、各々挿入する。
これにより、撮像素子用回路基板５４０とメイン回路基板５６０とを接続用フレキシブルプリント基板５７０を介して電気的に接続することが可能とされている。
【００２６】
ここで、接続のさせ方について図３および図４を用いて説明する。
図４（ａ）は接続前の様子、図４（ｂ）は接続後の様子である。
図４に示すように、接続用コネクタ５７１の接続用コネクタ５４１への挿入方向は、カメラ光軸（Ｚ軸）に対して直交方向であり、その方向に押しながらコネクタを挿入接続している（図３および図４中の太線矢印参照）。
さらに、カメラ光軸から外へ向って挿入している（カメラ光軸から接続用コネクタ５４１に向って挿入している）。
一方、接続用コネクタ５７２の接続用コネクタ５６１への挿入方向は、カメラ光軸方向である。
【００２７】
上記構成により、コネクタ５７１とコネクタ５４１を接続する際、力のかかる方向をカメラ光軸に対して直交方向とすることができる。
この方向であれば、ミラーボックス６００に設けられた位置決め用ピン６０１と撮像素子保持部材６２０に設けられた位置決め用穴６２１との嵌合方向であり、力を加えても撮像ユニット４００は適正位置からズレることはない。
また、撮像ユニット４００を傾けながら移動させることもないので、位置決め用穴６２１が位置決め用ピン６０１に対して食いついたり、削ったり、変形させたりして、撮像ユニット４００が適正位置からズレるという心配もない。
よって、コネクタを接続する際、作業者が特に注意しながら組む必要もなく、組立作業性は大幅に向上する。
また、本実施形態では、接続コネクタ５７１（導通部材の第１のコネクタ）を電気的に接続するため挿入する力の方向は、前記カメラ光軸中心から外に位置するコネクタ５４１に向かう方向に挿入する。
これによって、多少の撓みをもっているフレキシブルプリント基板５７０のコシの強さを利用し、その撓みを解消しようとする力方向とコネクタ挿入方向を同じにでき、接続信頼性を向上させることができる。
【００２８】
なお、接続用コネクタ５７２の接続用コネクタ５６１への挿入方向は、カメラ光軸方向として実施形態に記載したが、これに限らずカメラ光軸に対して直交する方向であってもよい。
また、本実施形態では、撮像素子用回路基板５４０とメイン回路基板５６０とを電気的に接続する導通部材として、接続用フレキシブルプリント基板５７０を例に挙げて説明した。しかし、これに限らず、フレキシブルプリント基板の替わりに、リード線等の導通部材を用いるようにしてもよい。
さらに、これまで接続用コネクタ５７１と接続用コネクタ５４１の接続に関して、挿入方向と力のかかる方向とが同じ方向である単純なコネクタを例として挙げ、説明してきた。
しかし、本発明の本質は、コネクタ接続作業時の“力のかかる方向”をカメラ光軸に対して直交方向にすることであり、その条件を満たしているのであれば、コネクタ挿入方向は任意の方向であってもよい。
【符号の説明】
【００２９】
４００：撮像ユニット
５２０：撮像素子保持部材
５４０：撮像素子用回路基板
５６０：メイン回路基板
５７０：接続用フレキシブルプリント基板
５４１、５６１、５７１、５７２：接続用コネクタ
【図１】
2011059272.tif 000003
【図２】
2011059272.tif 000004
【図３】
2011059272.tif 000005
【図４】
2011059272.tif 000006
【図５】
2011059272.tif 000007